(57)【要約】  適用される必要があり得るＤＬ−ｔｏ−ＵＬ周波数オフセット（または周波数シフト）を無線デバイス（ＷＤ）に通信するための方法および装置が開示される。例えば、無線デバイス（ＷＤ）において実施される方法が提供される。方法は、ネットワークノードから、周波数オフセットの指示を受信することと、受信した周波数オフセットを適用することとを含み、ＷＤは、新無線（ＮＲ）キャリアにおける狭帯域ＩｏＴ（ＮＢ−ＩｏＴ）キャリア上で動作するように設定される。【選択図】図２
2021520684.tif 000002
【特許請求の範囲】
【請求項１】
無線デバイス（ＷＤ）と通信するように設定されるネットワークノードであって、無線インターフェースと、メモリおよび該メモリに接続されるプロセッサを有する処理回路網と、を備え、前記プロセッサは、
新無線（ＮＲ）キャリアにおける狭帯域ＩｏＴ（ＮＢ−ＩｏＴ）キャリアを設定するように、および、前記無線デバイスによって適用される周波数オフセットの指示を送信するように設定されている、ネットワークノード。
【請求項２】
前記指示は絶対キャリア周波数を含む、請求項１に記載のネットワークノード。
【請求項３】
前記絶対キャリア周波数は、Ｅ−ＵＴＲＡ絶対無線周波数チャネル番号（ＥＡＲＦＣＮ）、ＮＲ絶対無線周波数チャネル番号（ＮＲ−ＡＲＦＣＮ）、およびグローバル同期チャネル番号（ＧＳＣＮ）のうちの１つを含む、請求項２に記載のネットワークノード。
【請求項４】
前記指示は、Ｅ−ＵＴＲＡ絶対無線周波数チャネル番号（ＥＡＲＦＣＮ）である、請求項１に記載のネットワークノード。
【請求項５】
前記プロセッサは、前記無線デバイスを第１の設定から第２の設定に再設定するように設定されている、請求項１から４のいずれか一項に記載のネットワークノード。
【請求項６】
前記プロセッサは前記周波数オフセットの更新をシグナリングするように設定されている、請求項５に記載のネットワークノード。
【請求項７】
前記周波数オフセットは、ダウンリンクからアップリンクまでの（ＤＬ−ＵＬ）周波数オフセットである、請求項１から６のいずれか一項に記載のネットワークノード。
【請求項８】
前記周波数オフセットは７ｋＨｚ、−７ｋＨｚ、および０ｋＨｚのうちの１つである、請求項１から７のいずれか一項に記載のネットワークノード。
【請求項９】
前記プロセッサは、スタンドアロン動作モードおよびガードバンド動作モードのうちの１つにおいて前記ＮＢ−ＩｏＴキャリアを設定するように設定されている、請求項１から８のいずれか一項に記載のネットワークノード。
【請求項１０】
前記指示を送信することは、システム情報および狭帯域マスタ情報ブロック（ＭＩＢ−ＮＢ）のうちの１つにおいて前記指示を送信することを含む、請求項１から９のいずれか一項に記載のネットワークノード。
【請求項１１】
無線デバイス（ＷＤ）と通信するように設定されるネットワークノードにおける方法であって、
新無線（ＮＲ）キャリアにおける狭帯域ＩｏＴ（ＮＢ−ＩｏＴ）キャリアを設定することと、
前記無線デバイスによって適用される周波数オフセットの指示を送信することと、を含む、方法。
【請求項１２】
前記指示は絶対キャリア周波数を含む、請求項１１に記載の方法。
【請求項１３】
前記絶対キャリア周波数は、Ｅ−ＵＴＲＡ絶対無線周波数チャネル番号（ＥＡＲＦＣＮ）、ＮＲ絶対無線周波数チャネル番号（ＮＲ−ＡＲＦＣＮ）、およびグローバル同期チャネル番号（ＧＳＣＮ）のうちの１つを含む、請求項１２に記載の方法。
【請求項１４】
前記指示は、Ｅ−ＵＴＲＡ絶対無線周波数チャネル番号（ＥＡＲＦＣＮ）である、請求項１１に記載の方法。
【請求項１５】
前記無線デバイスを第１の設定から第２の設定に再設定することをさらに含む、請求項１１から１４のいずれか一項に記載の方法。
【請求項１６】
前記周波数オフセットの更新の信号を送ることをさらに含む、請求項１５に記載の方法。
【請求項１７】
前記周波数オフセットは、ダウンリンクからアップリンクまでの（ＤＬ−ＵＬ）周波数オフセットである、請求項１１から１６のいずれか一項に記載の方法。
【請求項１８】
前記周波数オフセットは７ｋＨｚ、−７ｋＨｚ、および０ｋＨｚのうちの１つである、請求項１１から１７のいずれか一項に記載の方法。
【請求項１９】
前記ＮＢ−ＩｏＴキャリアを設定することは、スタンドアロン動作モードおよびガードバンド動作モードのうちの１つにおいて前記ＮＢ−ＩｏＴキャリアを設定することを含む、請求項１１から１８のいずれか一項に記載の方法。
【請求項２０】
コンピュータ可読プログラムコードが組み込まれている非一時的なコンピュータ可読記憶媒体を含む、コンピュータプログラム製品であって、前記コンピュータ可読プログラムコードは、請求項１１から１９のいずれか一項に記載の方法に従って動作させるためのコンピュータ可読プログラムコードを含む、コンピュータプログラム製品。
【請求項２１】
無線デバイス（ＷＤ）において実施される方法であって、
ネットワークノードから、周波数オフセットの指示を受信することと、
受信した前記周波数オフセットを適用することと、を含み、
前記ＷＤは、新無線（ＮＲ）キャリアにおける狭帯域ＩｏＴ（ＮＢ−ＩｏＴ）キャリア上で動作するように設定される、方法。
【請求項２２】
前記指示は絶対キャリア周波数を含む、請求項２１に記載の方法。
【請求項２３】
前記絶対キャリア周波数は、Ｅ−ＵＴＲＡ絶対無線周波数チャネル番号（ＥＡＲＦＣＮ）、ＮＲ絶対無線周波数チャネル番号（ＮＲ−ＡＲＦＣＮ）、およびグローバル同期チャネル番号（ＧＳＣＮ）のうちの１つを含む、請求項２２に記載の方法。
【請求項２４】
前記指示は、Ｅ−ＵＴＲＡ絶対無線周波数チャネル番号（ＥＡＲＦＣＮ）である、請求項２１に記載の方法。
【請求項２５】
前記無線デバイスを第１の設定から第２の設定に再設定するための信号を受信することをさらに含む、請求項２１から２４のいずれか一項に記載の方法。
【請求項２６】
前記周波数オフセットの更新の信号を受信することをさらに含む、請求項２５に記載の方法。
【請求項２７】
前記周波数オフセットは、ダウンリンクからアップリンクまでの（ＤＬ−ＵＬ）周波数オフセットである、請求項２１から２６のいずれか一項に記載の方法。
【請求項２８】
前記周波数オフセットは７ｋＨｚ、−７ｋＨｚ、および０ｋＨｚのうちの１つである、請求項２１から２７のいずれか一項に記載の方法。
【請求項２９】
無線インターフェースと、メモリおよび該メモリに接続されるプロセッサを有する処理回路網と、を備える、無線デバイス（ＷＤ）であって、前記プロセッサは、
ネットワークノードから、周波数オフセットの指示を受信するように、および受信した前記周波数オフセットを適用するように設定され、
前記ＷＤは、新無線（ＮＲ）キャリアにおける狭帯域ＩｏＴ（ＮＢ−ＩｏＴ）キャリア上で動作するように設定されている、無線デバイス（ＷＤ）。
【請求項３０】
前記指示は絶対キャリア周波数を含む、請求項２９に記載の無線デバイス。
【請求項３１】
前記絶対キャリア周波数は、Ｅ−ＵＴＲＡ絶対無線周波数チャネル番号（ＥＡＲＦＣＮ）、ＮＲ絶対無線周波数チャネル番号（ＮＲ−ＡＲＦＣＮ）、およびグローバル同期チャネル番号（ＧＳＣＮ）のうちの１つを含む、請求項３０に記載の無線デバイス。
【請求項３２】
前記指示は、Ｅ−ＵＴＲＡ絶対無線周波数チャネル番号（ＥＡＲＦＣＮ）である、請求項２９に記載の無線デバイス。
【請求項３３】
前記プロセッサは、前記無線デバイスを第１の設定から第２の設定に再設定するための信号を受信するように設定されている、請求項２９から３２のいずれか一項に記載の無線デバイス。
【請求項３４】
前記プロセッサは、前記周波数オフセットの更新の信号を受信するように設定されている、請求項３３に記載の無線デバイス。
【請求項３５】
前記周波数オフセットは、ダウンリンクからアップリンクまでの（ＤＬ−ＵＬ）周波数オフセットである、請求項２９から３４のいずれか一項に記載の無線デバイス。
【請求項３６】
前記周波数オフセットは７ｋＨｚ、−７ｋＨｚ、および０ｋＨｚのうちの１つである、請求項２９から３５のいずれか一項に記載の無線デバイス。
【請求項３７】
前記プロセッサは、システム情報、および前記指示を含有する狭帯域マスタ情報ブロック（ＭＩＢ−ＮＢ）のうちの１つを受信するように設定されている、請求項２９から３６のいずれか一項に記載の無線デバイス。
【請求項３８】
コンピュータ可読プログラムコードが組み込まれている非一時的なコンピュータ可読記憶媒体を含む、コンピュータプログラム製品であって、前記コンピュータ可読プログラムコードは、請求項２１から２８のいずれか一項に記載の方法に従って動作させるためのコンピュータ可読プログラムコードを含む、コンピュータプログラム製品。
【発明の詳細な説明】
【技術分野】
【０００１】
関連出願
本出願は、２０１８年２月２６日付で米国特許商標局において出願された、「Ｍｅｔｈｏｄｓ  ｏｆ  ｄｅｔｅｒｍｉｎｉｎｇ  ＤＬ−ｔｏ−ＵＬ  ｆｒｅｑｕｅｎｃｙ  ｏｆｆｓｅｔ  ｉｎ  ａ  ＮＢ−ＩｏＴ  ＴＤＤ  ｎｅｔｗｏｒｋ」という名称の米国仮特許出願第６２／６３５２８６号の優先権の利益を主張するものであり、この内容は出願時に参照により本明細書に組み込まれる。
【０００２】
本開示は、無線通信に関し、とりわけ、狭帯域ＩｏＴ（Internet of Things）の時分割複信（ＮＢ−ＩｏＴ  ＴＤＤ）ネットワークにおけるダウンリンクからアップリンクまでの（ＤＬ−ｔｏ−ＵＬ）周波数オフセットを判断することに関する。
【背景技術】
【０００３】
序文
リリース１３では、第３世代パートナーシッププロジェクト（３ＧＰＰ）において周波数分割複信（ＦＤＤ）帯域における配備のためのＮＢ−ＩｏＴが開発された。この新無線アクセス技術は、システムの低い複雑さおよび電力消費の最適化と組み合わせた信頼できる屋内カバレッジおよび大容量などの品質を要求するサービスおよびアプリケーションへの接続性をもたらす。
【０００４】
ＮＢ−ＩｏＴは、動作の３つのモード；スタンドアロン、帯域内、およびガードバンドをサポートする。ＮＢ−ＩｏＴは、１つのリファームされたＧｌｏｂａｌ  Ｓｙｓｔｅｍ  ｆｏｒ  Ｍｏｂｉｌｅ（ＧＳＭ）周波数を使用したスタンドアロン動作モードにおいて、および帯域内動作モードまたはガードバンド動作モードを使用してＬｏｎｇ  Ｔｅｒｍ  Ｅｖｏｌｕｔｉｏｎ（ＬＴＥ）キャリア内において配備可能である。リリース１５では、ＮＢ−ＩｏＴはＴＤＤ帯域をサポートするために拡張される。
【０００５】
アンカーキャリア
【０００６】
ＮＢ−ＩｏＴにおける最小システム帯域幅は２００ｋＨｚである。この基本的なセットアップにおいて、ＮＢ−ＩｏＴアンカーキャリアはセルにおいて送信され、同期、システム情報のブロードキャスト、ならびにページングおよびランダムアクセスなどの基本的なセルラー機能性をサポートする。スタンドアロンモードについて、アンカーキャリアは、１００ｋＨｚの周波数ラスタで配備される。帯域内モードおよびガードバンドモードは、＋／−２．５ｋＨｚまたは＋／−７．５ｋＨｚのラスタオフセットを可能にする。
【０００７】
ラスタオフセット
【０００８】
ＮＢ−ＩｏＴシステムのダウンリンクのチャネルラスタは、１００ｋＨｚの周波数グリッド上にある。ＮＢ−ＩｏＴデバイスは、１００ｋＨｚのステップ幅でＮＢ−ＩｏＴキャリアを見つけようとする。スタンドアロン配備では、これは問題がない。しかしながら、帯域内およびガードバンド動作について、（１００ｋＨｚラスタグリッド上に位置する）直流（ＤＣ）サブキャリアの存在、および物理リソースブロック（ＰＲＢ）の中心が２つのサブキャリアの間にあるという事実により、ＬＴＥ帯域内およびガードバンド動作において使用されるＮＢ−ＩｏＴセルサーチグリッドに直接かかるＰＲＢはない。１００ｋＨｚグリッドに対する周波数オフセットは、ＬＴＥシステム帯域幅における偶数および奇数のＰＲＢそれぞれに対して最小で±２．５ｋＨｚおよび±７．５ｋＨｚである。これは図１に示されている。±２．５ｋＨｚまたは±７．５ｋＨｚは、セルサーチプロセス中にデバイスによって処理可能であり、最終的に、ＵＥは狭帯域マスタ情報ブロック（ＭＩＢ−ＮＢ）からのラスタオフセットについて学習する。これらのオフセットは、ＮＢ−ＩｏＴキャリアが帯域内動作およびガードバンド動作に対して配備可能である位置を制約する。従って、同期信号およびシステム情報を含有するＮＢ−ＩｏＴ  ＤＬキャリアについて、１００ｋＨｚグリッド点の近くにある周波数上のみにあり得る。
【０００９】
ガードバンド動作について、１０または２０ＭＨｚのシステム帯域幅を有するＬＴＥシステムに対して、１００ｋＨｚ周波数ラスタから２．５ｋＨｚ離れたＮＢ−ＩｏＴダウンリンクキャリア周波数を見つけることが可能である。他のＬＴＥシステム帯域幅について、１００ｋＨｚラスタに対するオフセットは５２．５ｋＨｚである。従って、同じ±７．５ｋＨｚ〜１００ｋＨｚグリッド内で取得するために、３つのガードサブキャリアが必要である。１つのガードキャリアは１５ｋＨｚ幅であり、レガシＬＴＥ  ＰＲＢに直交性を与えるレガシＬＴＥシステムにおいて同じサブキャリアグリッドに置かれる。
【００１０】
ＬＴＥダウンリンクからアップリンクまでの（ＤＬ−ｔｏ−ＵＬ）ハーフトーンシフト
【００１１】
ＬＴＥアップリンクにおいて、直流（ＤＣ）サブキャリアはない。ＬＴＥ  ＴＤＤに対して、これによって、図２に示されるように、ＤＬキャリアグリッドとＵＬキャリアグリッドとの間にハーフトーンシフト（すなわち、７．５ｋＨｚ）が生じる。ここで、中間のＬＴＥ  ＰＲＢが１２の使用可能なサブキャリアに加えてＤＣサブキャリアを含有する例が使用される。これは、３、５、および１５ＭＨｚのＬＴＥ帯域幅に対応する。この場合、ＤＬ  ＰＲＢの中心とＵＬ  ＰＲＢの中心との間にハーフトーンシフトがあるとみなされ得る。ＤＬ  ＰＲＢの中心に対するＵＬ  ＰＲＢの中心のシフトは、ＤＣサブキャリアの上のＰＲＢに対して−７．５ｋＨｚであり、ＤＣサブキャリアより下のＰＲＢに対して７．５ｋＨｚである。
【００１２】
帯域内モードの動作を使用してＬＴＥキャリア内で動作しているＮＢ−ＩｏＴ  ＴＤＤについて、ＵＬ  ＰＲＢは、ＬＴＥに関しては、ＤＬ  ＰＲＢと比較して±７．５ｋＨｚオフセットされることになる。
【００１３】
ＮＲ（新無線）
【００１４】
ＮＲは、３ＧＰＰリリース１５において導入される新無線アクセス技術である。ＮＲは、ＬＴＥと同じ１５ｋＨｚのサブキャリア間隔を含む。よって、ＮＲキャリア内にＮＢ−ＩｏＴを維持しながら、ＬＴＥ帯域をＮＲに移行させることが可能である。しかしながら、ＮＲとＬＴＥとの間の１つの相違点は、ＮＲがＤＣサブキャリアを有さないことである。これは、ＬＴＥの場合におけるＤＬとＵＬとの間のハーフトーンシフトがＮＲの場合で生じないことを意味する。
【００１５】
ＮＢ−ＩｏＴ帯域内およびガードバンド動作について、ＮＢ−ＩｏＴがＬＴＥと同じサブキャリアグリッドを使用することは重要である。これは、図２に示されるように、ＮＢ−ＩｏＴがＤＬ  ＰＲＢの中心およびＵＬ  ＰＲＢの中心における相違に従ってＤＬ−ｔｏ−ＵＬ周波数オフセットを適用する必要があることを意味する。サムスンの、ＴＤＤ  ＮＢ−ＩｏＴ、ＲＡＮ１＃９２に対するＵＬチャネルについてのＲ１−１８０１９３８論議（ｗｗｗ．３ｇｐｐ．ｏｒｇを介してパブリックに利用可能である）において、ＮＢ−ＩｏＴ  ＴＤＤが帯域内またはガードバンド動作モードとして動作しているＬＴＥキャリア内で配備される時にこのオフセットがシステム情報ブロック２（ＳＩＢ２）でシグナリングされることが提案された。
【００１６】
さらに、ＮＲ  ＴＤＤキャリア内に配備されるＮＢ−ＩｏＴ  ＴＤＤの問題点は、サムスンの、ＴＤＤ  ＮＢ−ＩｏＴ、ＲＡＮ１＃９２に対するＵＬチャネルについてのＲ１−１８０１９３８論議において対処されなかった。
【発明の概要】
【００１７】
Ｒ１−１８０１９３８において提案されたシグナリングは、冗長であるおよび／または非効率的であるように思われる。本開示のいくつかの実施形態は、ＮＢ−ＩｏＴ  ＴＤＤデバイス（または他の無線デバイス）がＭＩＢ−ＮＢにおいてシグナリングされたラスタオフセットからのこのようなオフセットを推論する（または検索する）方法および装置を提供する。いくつかの実施形態は有利には、ＮＢ−ＩｏＴ  ＴＤＤネットワークにおけるＤＬ−ｔｏ−ＵＬ周波数オフセットを判断するための方法および装置を提供する。本開示のいくつかの実施形態のいくつかの利点は、帯域内またはガードバンド動作モードを使用してＮＢ−ＩｏＴ  ＴＤＤがＬＴＥキャリア内に配備される時のシグナリングを低減することを含むことができる。本開示のいくつかの実施形態はまた、ＮＲキャリア内に配備されるＮＢ−ＩｏＴ  ＴＤＤをサポートする。
【００１８】
スタンドアロンモードにおいて動作しているＮＢ−ＩｏＴ  ＴＤＤについて、３ＧＰＰリリース１５はＵＬ  ＰＲＢとＤＬ  ＰＲＢとの間の０ｋＨｚオフセットを指定できることが予想される。
【００１９】
ガードバンドモードで動作しているＮＢ−ＩｏＴ  ＴＤＤについて、ＵＬ−ＤＬオフセットは、帯域内定義またはスタンドアロン定義のどちらかに従ってよい。これは、３ＧＰＰリリース１５の一部として指定されることになる。
【００２０】
本開示のいくつかの実施形態では、ＮＢ−ＩｏＴ  ＴＤＤデバイスがＤＬ−ｔｏ−ＵＬ周波数シフトを判断するための方法および装置が提案される。さらに、本開示のいくつかの実施形態では、ＮＲキャリア内に配備されるＮＢ−ＩｏＴ  ＴＤＤをサポートするためにシグナリングするための方法および装置が提案される。
【００２１】
１つの実施形態では、ネットワークノードにおいて実施される方法が提供される。方法は、新無線（ＮＲ）キャリアにおける狭帯域ＩｏＴ（ＮＢ−ＩｏＴ）キャリアを設定することと、適用される周波数オフセットの指示を送信することとを含む。
【００２２】
１つの実施形態では、無線デバイス（ＷＤ）と通信するように設定されるネットワークノードが提供される。ネットワークノードは上記の方法を実行するように設定される。
【００２３】
いくつかの実施形態では、非一時的なコンピュータ可読媒体が提供される。非一時的な可読媒体は、本明細書に説明されるように、ネットワークノードの処理回路網（例えば、少なくとも１つのプロセッサ）によって実行されると、処理回路網がネットワークノードの１つまたは複数の機能性を実行するように設定する命令を含むコンピュータプログラム製品を記憶する。
【００２４】
１つの実施形態では、無線デバイス（ＷＤ）において実施される方法が提供される。方法は、ネットワークノードから、周波数シフトの指示を受信することと、受信した周波数シフトを適用することとを含み、ＷＤは、新無線（ＮＲ）における狭帯域ＩｏＴ（ＮＢ−ＩｏＴ）キャリア上で動作するように設定される。
【００２５】
１つの実施形態では、ネットワークノードと通信するように設定される無線デバイス（ＷＤ）が提供される。ＷＤは真上の方法を実行するように設定される。
【００２６】
いくつかの実施形態では、非一時的なコンピュータ可読媒体が提供される。非一時的な可読媒体は、本明細書に説明されるように、無線デバイスの処理回路網（例えば、少なくとも１つのプロセッサ）によって実行されると、処理回路網が無線デバイスの１つまたは複数の機能性を実行するように設定する命令を含むコンピュータプログラム製品を記憶する。
【００２７】
別の実施形態によると、本明細書に説明される実施形態の方法のいずれかと関連付けられた情報の、観測、監視、制御、送信、および受信のうちの少なくとも１つを行うように設定される通信モジュールを含むホストコンピュータが提供される。
【００２８】
本実施形態、ならびにこの付随した利点および特徴をさらに詳しく理解することは、添付の図面と併せて考慮される時に以下の詳細な説明を参照することによってより容易に理解されることになる。
【図面の簡単な説明】
【００２９】
【図１】本開示における原理による、偶数および奇数のＰＲＢによるキャリアに対するＬＴＥ  ＰＲＢの中央周波数オフセットの模式図である。
【図２】本開示におけるいくつかの原理による、ＤＬ  ＰＲＢの中心とＵＬ  ＰＲＢの中心との間のハーフトーンシフトの模式図である。
【図３】本開示におけるいくつかの原理による、中間ネットワークを介してホストコンピュータに接続される通信システムを示す例示のネットワークアーキテクチャの模式図である。
【図４】本開示のいくつかの実施形態による、少なくとも部分的に無線接続でネットワークノードを介して無線デバイスと通信するホストコンピュータのブロック図である。
【図５】本開示のいくつかの実施形態による、ネットワークノードの代替的な実施形態のブロック図である。
【図６】本開示のいくつかの実施形態による、無線デバイスの代替的な実施形態のブロック図である。
【図７】本開示のいくつかの実施形態による、ホストコンピュータの代替的な実施形態のブロック図である。
【図８】本開示のいくつかの実施形態による、ホストコンピュータ、ネットワークノード、および無線デバイスを含む通信システムにおいて実施される例示の方法を示すフローチャートである。
【図９】本開示のいくつかの実施形態による、ホストコンピュータ、ネットワークノード、および無線デバイスを含む通信システムにおいて実施される例示の方法を示すフローチャートである。
【図１０】本開示のいくつかの実施形態による、ホストコンピュータ、ネットワークノード、および無線デバイスを含む通信システムにおいて実施される例示の方法を示すフローチャートである。
【図１１】本開示のいくつかの実施形態による、ホストコンピュータ、ネットワークノード、および無線デバイスを含む通信システムにおいて実施される例示の方法を示すフローチャートである。
【図１２】本開示のいくつかの実施形態による、ＮＢ−ＩｏＴ  ＴＤＤネットワークにおける周波数オフセット（例えば、ＤＬ−ｔｏ−ＵＬ周波数オフセット）を判断する／シグナリングするためのネットワークノードにおける例示のプロセスのフローチャートである。
【図１３】本開示のいくつかの実施形態による、ＮＢ−ＩｏＴ  ＴＤＤネットワークにおける周波数オフセット（例えば、ＤＬ−ｔｏ−ＵＬ周波数オフセット）を判断する／受信するための無線デバイスにおける例示のプロセスのフローチャートである。
【発明を実施するための形態】
【００３０】
例示の実施形態を詳細に説明する前に、実施形態が、主として、ＮＢ−ＩｏＴ  ＴＤＤネットワークにおけるＤＬ−ｔｏ−ＵＬ周波数オフセットを判断するための方法および装置に関連している装置構成要素および処理ステップの組み合わせに存在することは留意されたい。それ故に、構成要素は図面において従来の記号によって適切なところに表現されており、本明細書における記載の利益を有する当業者に容易に明らかになる詳細を有する開示を不明瞭にしないように、実施形態を理解することに関連する具体的な詳細のみが示されている。記載全体を通して、同様の数字は同様の要素を指す。
【００３１】
本明細書で使用される場合、「第１の」および「第２の」、ならびに「上部」および「下部」などの関係語は、このようなエンティティまたは要素の間にいずれの物理的または論理的な関係もしくは順序も必ずしも要するまたは暗示することなく、単に、１つのエンティティまたは要素を別のエンティティまたは要素と区別するために使用されてよい。本明細書で使用される専門用語は、特定の実施形態を説明することだけを目的とし、本明細書に説明される概念を限定することを意図するものではない。本明細書において使用される場合、単数形「ａ」、「ａｎ」、および「ｔｈｅ」は、別段文脈で明確に指示されない限り、複数形も同様に含むことが意図されている。「ｃｏｍｐｒｉｓｅｓ（備える）」、「ｃｏｍｐｒｉｓｉｎｇ（備える）」、「ｉｎｃｌｕｄｅｓ（含む）」、および／または「ｉｎｃｌｕｄｉｎｇ（含む）」という用語は、本明細書で使用される時、述べられた特徴、整数、ステップ、動作、要素、および／または構成要素の存在を指定するが、１つまたは複数の他の特徴、整数、ステップ、動作、要素、構成要素、および／もしくはそれらのグループの存在または追加を除外しないことは、さらに理解されるであろう。
【００３２】
本明細書に説明される実施形態では、「〜と通信する」などの結合用語は、例えば、物理的接触、誘導、電磁放射、無線シグナリング、赤外線シグナリング、または光シグナリングによって達成可能である電気またはデータ通信を指示するために使用されてよい。複数の構成要素が相互に操作可能であり、かつ電気およびデータ通信を実現するような修正および変形が可能であることを、当業者は理解するであろう。
【００３３】
本明細書に説明されるいくつかの実施形態では、「結合される」および「接続される」などの用語は、本明細書において接続を指示するために使用されてよいが必ずしも直接的ではなく、有線接続および／または無線接続を含んでよい。
【００３４】
本明細書で使用される「ネットワークノード」という用語は、基地局（ＢＳ）、無線基地局、無線基地局装置（ＢＴＳ）、基地局コントローラ（ＢＳＣ）、無線ネットワークコントローラ（ＲＮＣ）、ｇＮｏｄｅＢ（ｇＮＢ）、エボルブドノードＢ（ｅＮＢまたはｅＮｏｄｅＢ）、ノードＢ、ＭＳＲ  ＢＳなどのマルチスタンダード無線（ＭＳＲ）の無線ノード、マルチセル／マルチキャスト協調エンティティ（ＭＣＥ）、中継ノード、ドナーノード制御中継器、無線アクセスポイント（ＡＰ）、送信ポイント、送信ノード、リモートラジオユニット（ＲＲＵ）、リモート無線ヘッド（ＲＲＨ）、コアネットワークノード（例えば、移動管理エンティティ（ＭＭＥ）、自己組織化ネットワーク（ＳＯＮ）ノード、協調ノード、測位ノード、ＭＤＴノードなど）、外部ノード（例えば、サードパーティノード、現在のネットワークの外部のノード）、分散アンテナシステム（ＤＡＳ）におけるノード、スペクトルアクセスシステム（ＳＡＳ）ノード、エレメント管理システム（ＥＭＳ）などのうちのいずれかをさらに含んでもよい無線ネットワークに含まれる任意の種類のネットワークノードとすることができる。ネットワークノードはまた、試験装置を含んでよい。本明細書で使用される「無線ノード」という用語は、無線デバイス（ＷＤ）または無線ネットワークノードなどの無線デバイス（ＷＤ）を示すためにも使用されてよい。
【００３５】
いくつかの実施形態では、無線デバイス（ＷＤ）またはユーザ機器（ＵＥ）という非限定的な用語が区別なく使用される。本明細書におけるＷＤは、無線デバイス（ＷＤ）などの、無線信号によってネットワークノードまたは別のＷＤと通信することが可能な任意のタイプの無線デバイスとすることができる。ＷＤはまた、無線通信デバイス、ターゲットデバイス、デバイスツーデバイス（Ｄ２Ｄ）ＷＤ、マシン型ＷＤもしくはマシンツーマシン通信（Ｍ２Ｍ）が可能なＷＤ、低コストおよび／もしくは低複雑度ＷＤ、ＷＤを備えたセンサ、タブレット、携帯端末、スマートフォン、ラップトップ埋め込み機器（ＬＥＥ）、ラップトップ搭載機器（ＬＭＥ）、ＵＳＢドングル、宅内機器（ＣＰＥ）、モノのインターネット（ＩｏＴ）デバイス、または狭帯域ＩｏＴ（ＮＢ−ＩＯＴ）デバイスなどであってよい。
【００３６】
また、いくつかの実施形態では、「無線ネットワークノード」という一般的な用語が使用されている。これは、基地局、無線基地局、無線基地局装置、基地局コントローラ、ネットワークコントローラ（ＲＮＣ）、エボルブドノードＢ（ｅＮＢ）、ノードＢ、ｇＮＢ、マルチセル／マルチキャスト協調エンティティ（ＭＣＥ）、中継ノード、アクセスポイント、無線アクセスポイント、リモートラジオユニット（ＲＲＵ）、リモート無線ヘッド（ＲＲＨ）のいずれかを備え得る任意の種類の無線ネットワークノードとすることができる。
【００３７】
例えば、３ＧＰＰ  ＬＴＥおよび／または新無線（ＮＲ）など、１つの特定の無線システムからの専門用語が本開示において使用される場合があるが、これは、本開示の範囲を前述のシステムのみに限定するとしてみなされるべきではないことは、留意されたい。広帯域符号分割多元接続（ＷＣＤＭＡ）、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭａｘ）、ウルトラモバイルブロードバンド（ＵＭＢ）、および汎欧州デジタル移動電話方式（ＧＳＭ）を含むがこれらに限定されない他の無線システムは、本開示の範囲内に包含される着想を活用することから利益を得ることもできる。
【００３８】
無線デバイスまたはネットワークノードによって行われるとして本明細書に説明される機能が、複数の無線デバイスおよび／またはネットワークノード上で分散される場合があることは、さらに留意されたい。換言すれば、本明細書に説明されるネットワークノードおよび無線デバイスの機能は、単一の物理デバイスによって行われることに限定されず、実際には、いくつかの物理デバイスの間で分散可能であることが考えられる。
【００３９】
別段規定されない限り、本明細書で使用される全ての用語（技術用語および科学用語を含む）は、本開示が属する技術分野の当業者に一般的に理解されているのと同じ意味を有する。さらに、本明細書で使用される用語が、本明細書および関連技術の文脈での意味と整合する意味を有すると解釈されるものとし、本明細書で明示的に規定されない限り、理想化した意味または過度に形式的な意味で解釈されるものとしないことは、理解されるであろう。
【００４０】
実施形態は、適用されるＤＬ−ｔｏ−ＵＬ周波数オフセット（または周波数シフト）を指示するラスタオフセット、および／またはＤＬ−ｔｏ−ＵＬ周波数オフセット（または周波数シフト）が適用される必要があるかどうかを指示するシステム情報メッセージを、ＷＤ２２に通信するための方法および装置を提供する。
【００４１】
他の実施形態は、ＮＲキャリアにおけるＮＢ−ＩｏＴキャリア上で動作している時に、ＷＤ２２によって適用されるＤＬ−ｔｏ−ＵＬ周波数オフセット（または周波数シフト）の指示をＷＤ２２に通信するための方法および装置を提供する。同様の要素が同様の参照符号によって言及される図面の図に戻ると、図３において、無線アクセスネットワークおよびコアネットワーク１４などのアクセスネットワーク１２を含む、ＬＴＥおよび／またはＮＲ（５Ｇ）などの標準をサポート可能である３ＧＰＰタイプのセルラーネットワークなどの通信システム１０を含む、一実施形態による通信システムの模式図が示されている。アクセスネットワーク１２は、それぞれが（総称してカバレッジエリア１８という）対応するカバレッジエリア１８ａ、１８ｂ、１８ｃを規定する、ＮＢ、ｅＮＢ、ｇＮＢ、または他のタイプの無線アクセスポイントなどの（総称してネットワークノード１６という）複数のネットワークノード１６ａ、１６ｂ、１６ｃを含む。それぞれのネットワークノード１６ａ、１６ｂ、１６ｃは、有線または無線接続２０によってコアネットワーク１４に接続可能である。カバレッジエリア１８ａに位置する第１の無線デバイス（ＷＤ）２２ａは、対応するネットワークノード１６ｃに無線接続するように、またはこれによってページングされるように設定される。カバレッジエリア１８ｂにおける第２のＷＤ２２ｂは、対応するネットワークノード１６ａに無線接続可能である。（総称して無線デバイス２２という）複数のＷＤ２２ａ、２２ｂがこの例において示されているが、開示される実施形態は、単独のＷＤがカバレッジエリアにある、または単独のＷＤが対応するネットワークノード１６に接続している状況に等しく適用可能である。便宜上、２つのＷＤ２２および３つのネットワークノード１６のみが示されているが、通信システムがもっと多くのＷＤ２２およびネットワークノード１６を含んでよいことは留意されたい。
【００４２】
また、ＷＤ２２は同時通信し得る、および／または複数のネットワークノード１６および複数のタイプのネットワークノード１６と別個に通信するように設定され得ることが考えられる。例えば、ＷＤ２２は、ＬＴＥをサポートするネットワークノード１６およびＮＲをサポートする同じまたは異なるネットワークノード１６とのデュアルコネクティビティを有することができる。例として、ＷＳ２２は、ＬＴＥ／Ｅ−ＵＴＲＡＮに対してはｅＮＢと、ＮＲ／ＮＧ−ＲＡＮに対してはｇＮＢと通信し得る。
【００４３】
通信システム１０はこれ自体、ホストコンピュータ２４に接続されてよい。このホストコンピュータ２４は、独立型サーバ、クラウド実装サーバ、分散サーバのハードウェアおよび／もしくはソフトウェアにおいて、またはサーバファームにおける処理リソースとして組み込まれてよい。ホストコンピュータ２４は、サービスプロバイダの所有または制御の下にあってよい、または、サービスプロバイダによって、またはサービスプロバイダの代わりに動作させてよい。通信システム１０とホストコンピュータ２４との間の接続２６、２８は、コアネットワーク１４からホストコンピュータ２４に直接拡張されてよい、またはオプションの中間ネットワーク３０を介して拡張されてよい。中間ネットワーク３０は、パブリック、プライベート、またはホストされたネットワークの、１つ、または複数の組み合わせであってよい。もしあれば、中間ネットワーク３０は、バックボーンネットワークまたはインターネットであってよい。いくつかの実施形態では、中間ネットワーク３０は２つ以上のサブネットワーク（図示せず）を含んでよい。
【００４４】
図３の通信システムは全体として、接続済みＷＤ２２ａ、２２ｂのうちの１つとホストコンピュータ２４との間の接続性を有効にする。接続性は、オーバーザトップ（ＯＴＴ）接続として説明され得る。ホストコンピュータ２４および接続済みＷＤ２２ａ、２２ｂは、アクセスネットワーク１２、コアネットワーク１４、任意の中間ネットワーク３０、および仲介物として可能なさらなるインフラストラクチャ（図示せず）を使用して、ＯＴＴ接続を介してデータおよび／またはシグナリングを通信するように設定される。ＯＴＴ接続は、ＯＴＴ接続が通る関与する通信デバイスの少なくともいくつかがアップリンク通信およびダウンリンク通信のルーティングに気付かないという意味において、透過であり得る。例えば、ネットワークノード１６は、ホストコンピュータ２４から発して、接続済みＷＤ２２ａに転送される（例えば、ハンドオーバされる）データを伴う着信ダウンリンク通信の過去のルーティングについて通知されなくてよい、または通知される必要はない。同様に、ネットワークノード１６は、ＷＤ２２ａからホストコンピュータ２４に向けて発する発信アップリンク通信の将来のルーティングを知っておく必要はない。ネットワークノード１６は、適用されるＤＬ−ｔｏ−ＵＬ周波数オフセット（または周波数シフト）を指示するラスタオフセット、および／またはＤＬ−ｔｏ−ＵＬ周波数オフセット（または周波数シフト）が適用される必要があるかどうかを指示するシステム情報メッセージを、ＷＤ２２にシグナリングするように設定される信号ユニット３２を含むように設定される。信号ユニット３２はまた、無線デバイスに周波数オフセットの指示を送るように設定可能である。無線デバイス２２は、適用されるＤＬ−ｔｏ−ＵＬ周波数オフセット（または周波数シフト）を指示するラスタオフセット、および／またはＤＬ−ｔｏ−ＵＬ周波数オフセット（または周波数シフト）が適用される必要があるかどうかを指示するシステム情報メッセージを、ネットワークノード１６から受信するように設定される検索ユニット３４を含むように設定される。検索ユニット３４はまた、無線デバイスがＮＲキャリアにおけるＮＢ−ＩｏＴキャリア上で動作しているように設定される／判断される時、ネットワークノード１６から周波数オフセットの指示を受信するように設定可能である。
【００４５】
先述の段落で論じられた、ＷＤ２２、ネットワークノード１６、およびホストコンピュータ２４の一実施形態による例示の実装形態について、ここで、図３を参照して説明する。通信システム１０では、ホストコンピュータ２４は、通信システム１０の異なる通信デバイスのインターフェースとの有線または無線接続をセットアップしかつ維持するように設定される通信インターフェース４０を含むハードウェア（ＨＷ）３８を備える。ホストコンピュータ２４はさらに、記憶および／または処理能力を有してよい処理回路網４２を備える。処理回路網４２はプロセッサ４４およびメモリ４６を含んでよい。とりわけ、中央処理装置などのプロセッサおよびメモリに加えてまたはこの代わりに、処理回路網４２は、処理および／または制御用の集積回路網、例えば、命令を実行するように適応される、１つまたは複数のプロセッサ、プロセッサコア、ＦＰＧＡ（フィールドプログラマブルゲートアレイ）、および／もしくはＡＳＩＣ（特定用途向け集積回路網）を含んでよい。プロセッサ４４は、任意の種類の揮発性および／または不揮発性メモリ、例えば、キャッシュ、バッファメモリ、ＲＡＭ（ランダムアクセスメモリ）、ＲＯＭ（読み出し専用メモリ）、光メモリ、および／またはＥＰＲＯＭ（消去可能プログラマブル読み出し専用メモリ）を含んでよいメモリ４６に対するアクセス（例えば、書き込みおよび／または読み出し）を行うように設定されてよい。
【００４６】
処理回路網４２は、本明細書に説明される方法および／またはプロセスのいずれかを制御するように、および／またはこのような方法および／またはプロセスが、例えば、ホストコンピュータ２４によって行われるように設定されてよい。プロセッサ４４は、本明細書に説明されるホストコンピュータ２４の機能を行うための１つまたは複数のプロセッサ４４に対応する。ホストコンピュータ２４は、本明細書に説明される、データ、プログラムソフトウェアコード、および／または他の情報を記憶するように設定されるメモリ４６を含む。いくつかの実施形態では、ソフトウェア４８および／またはホストアプリケーション５０は、プロセッサ４４および／または処理回路網４２によって実行される時、プロセッサ４４および／または処理回路網４２に、ホストコンピュータ２４に対する本明細書に説明されるプロセスを行わせる命令を含んでよい。命令は、ホストコンピュータ２４と関連付けられたソフトウェアであってよい。
【００４７】
ソフトウェア４８は、処理回路網４２によって実行可能であってよい。ソフトウェア４８はホストアプリケーション５０を含む。ホストアプリケーション５０は、ＷＤ２２およびホストコンピュータ２４で終端するＯＴＴ接続５２を介して接続するＷＤ２２などのリモートユーザにサービスを提供するように動作可能であってよい。サービスをリモートユーザに提供する際に、ホストアプリケーション５０はＯＴＴ接続５２を使用して送信されるユーザデータを提供してよい。「ユーザデータ」は、説明した機能性を実装すると本明細書に説明されるデータおよび情報であってよい。１つの実施形態では、ホストコンピュータ２４は、サービスプロバイダに制御および機能性を提供するように設定されてよく、かつ、サービスプロバイダによって、またはサービスプロバイダの代わりに動作させてよい。ホストコンピュータ２４の処理回路網４２は、ホストコンピュータ２４が、ネットワークノード１６および／または無線デバイス２２に対する、観測、監視、制御、送信、および／または受信を行うことができるようにしてよい。ホストコンピュータ２４の処理回路網４２は、サービスプロバイダが、本明細書に説明される方法および技法のいずれかを行うためにネットワークノード１６および／または無線デバイス２２に対する、観測／監視／制御／送信／受信を行うことを可能にするように設定される通信ユニット５４を含んでよい。
【００４８】
通信システム１０は、さらに、通信システム１０に設けられ、かつホストコンピュータ２４およびＷＤ２２と通信できるようにするハードウェア５８を備えるネットワークノード１６を含む。ハードウェア５８は、通信システム１０の異なる通信デバイスのインターフェースとの有線または無線接続をセットアップしかつ維持するための通信インターフェース６０、および、少なくとも、ネットワークノード１６によってサーブされるカバレッジエリア１８に位置するＷＤ２２との無線接続６４をセットアップしかつ維持するための無線インターフェース６２を含んでよい。無線インターフェース６２は、例えば、１つもしくは複数のＲＦ送信機、１つもしくは複数のＲＦ受信機、および／または１つもしくは複数のＲＦ送受信機として形成されてよい、またはこれらを含んでよい。通信インターフェース６０は、ホストコンピュータ２４への接続６６を容易にするように設定されてよい。接続６６は、直接的であってよい、または、通信システム１０のコアネットワーク１４を、および／または通信システム１０の外部の１つまたは複数の中間ネットワーク３０を通ってよい。
【００４９】
示される実施形態では、ネットワークノード１６のハードウェア５８は処理回路網６８をさらに含む。処理回路網６８はプロセッサ７０およびメモリ７２を含んでよい。とりわけ、中央処理装置などのプロセッサおよびメモリに加えてまたはこの代わりに、処理回路網６８は、処理および／または制御用の集積回路網、例えば、命令を実行するように適応される、１つまたは複数のプロセッサ、プロセッサコア、ＦＰＧＡ（フィールドプログラマブルゲートアレイ）、および／もしくはＡＳＩＣ（特定用途向け集積回路網）を含んでよい。プロセッサ７０は、任意の種類の揮発性および／または不揮発性メモリ、例えば、キャッシュ、バッファメモリ、ＲＡＭ（ランダムアクセスメモリ）、ＲＯＭ（読み出し専用メモリ）、光メモリ、および／またはＥＰＲＯＭ（消去可能プログラマブル読み出し専用メモリ）を含んでよいメモリ７２に対するアクセス（例えば、書き込みおよび／または読み出し）を行うように設定されてよい。
【００５０】
よって、ネットワークノード１６は、例えば、メモリ７２において内部に記憶される、または外部接続を介してネットワークノード１６によってアクセス可能な外部メモリ（例えば、データベース、記憶アレイ、ネットワーク記憶デバイスなど）に記憶されるソフトウェア７４をさらに有する。ソフトウェア７４は、処理回路網６８によって実行可能であってよい。処理回路網６８は、本明細書に説明される方法および／またはプロセスのいずれかを制御するように、および／またはこのような方法および／またはプロセスが、例えば、ネットワークノード１６によって行われるように設定されてよい。プロセッサ７０は、本明細書に説明されるネットワークノード１６の機能を行うための１つまたは複数のプロセッサ７０に対応する。メモリ７２は、本明細書に説明される、データ、プログラムソフトウェアコード、および／または他の情報を記憶するように設定される。いくつかの実施形態では、ソフトウェア７４は、プロセッサ７０および／または処理回路網６８によって実行される時、プロセッサ７０および／または処理回路網６８に、ネットワークノード１６に対する本明細書に説明されるプロセスを行わせる命令を含んでよい。例えば、ネットワークノード１６の処理回路網６８は、適用されるＤＬ−ｔｏ−ＵＬ周波数オフセット（または周波数シフト）を指示するラスタオフセット、および／またはＤＬ−ｔｏ−ＵＬ周波数オフセット（または周波数シフト）が適用される必要があるかどうかを指示するシステム情報メッセージを、ＷＤ２２にシグナリングするように設定される信号ユニット３２を含んでよい。信号ユニット３２は、ＷＤ２２に周波数シフトの指示を送るようにさらに設定されてよい。
【００５１】
通信システム１０は、既に言及されているＷＤ２２をさらに含む。ＷＤ２２は、ＷＤ２２が現在位置しているカバレッジエリア１８をサーブするネットワークノード１６との無線接続６４をセットアップしかつ維持するように設定される無線インターフェース８２を含んでよいハードウェア８０を有してよい。無線インターフェース８２は、例えば、１つもしくは複数のＲＦ送信機、１つもしくは複数のＲＦ受信機、および／または１つもしくは複数のＲＦ送受信機として形成されてよい、またはこれらを含んでよい。
【００５２】
ＷＤ２２のハードウェア８０は処理回路網８４をさらに含む。処理回路網８４はプロセッサ８６およびメモリ８８を含んでよい。とりわけ、中央処理装置などのプロセッサおよびメモリに加えてまたはこの代わりに、処理回路網８４は、処理および／または制御用の集積回路網、例えば、命令を実行するように適応される、１つまたは複数のプロセッサ、プロセッサコア、ＦＰＧＡ（フィールドプログラマブルゲートアレイ）、および／もしくはＡＳＩＣ（特定用途向け集積回路網）を含んでよい。プロセッサ８６は、任意の種類の揮発性および／または不揮発性メモリ、例えば、キャッシュ、バッファメモリ、ＲＡＭ（ランダムアクセスメモリ）、ＲＯＭ（読み出し専用メモリ）、光メモリ、および／またはＥＰＲＯＭ（消去可能プログラマブル読み出し専用メモリ）を含んでよいメモリ８８に対するアクセス（例えば、書き込みおよび／または読み出し）を行うように設定されてよい。
【００５３】
よって、ＷＤ２２は、例えば、ＷＤ２２におけるメモリ８８に記憶される、またはＷＤ２２によってアクセス可能な外部メモリ（例えば、データベース、記憶アレイ、ネットワーク記憶デバイスなど）に記憶されるソフトウェア９０をさらに含んでよい。ソフトウェア９０は、処理回路網８４によって実行可能であってよい。ソフトウェア９０はクライアントアプリケーション９２を含んでよい。クライアントアプリケーション９２は、ホストコンピュータ２４のサポートを受けて、ＷＤ２２を介して人間または非人間のユーザにサービスを提供するように動作可能であってよい。ホストコンピュータ２４において、実行中のホストアプリケーション５０は、ＷＤ２２およびホストコンピュータ２４で終端するＯＴＴ接続５２を介して実行中のクライアントアプリケーション９２と通信してよい。サービスをユーザに提供する際に、クライアントアプリケーション９２は、要求データをホストアプリケーション５０から受信し、かつ要求データに応答してユーザデータを提供してよい。ＯＴＴ接続５２は、要求データおよびユーザデータの両方を移行させてよい。クライアントアプリケーション９２は、提供するユーザデータを生成するためにユーザと対話してよい。
【００５４】
処理回路網８４は、例えば、ＷＤ２２によって、本明細書に説明される方法および／またはプロセスのいずれかを制御するように、および／またはこのような方法および／またはプロセスを行わせるように設定されてよい。プロセッサ８６は、本明細書に説明されるＷＤ２２の機能を行うための１つまたは複数のプロセッサ８６に対応する。ＷＤ２２は、本明細書に説明される、データ、プログラムソフトウェアコード、および／または他の情報を記憶するように設定されるメモリ８８を含む。いくつかの実施形態では、ソフトウェア９０および／またはクライアントアプリケーション９２は、プロセッサ８６および／または処理回路網８４によって実行される時、プロセッサ８６および／または処理回路網８４に、ＷＤ２２に対する本明細書に説明されるプロセスを行わせる命令を含んでよい。例えば、無線デバイス２２の処理回路網８４は、適用されるＤＬ−ｔｏ−ＵＬ周波数オフセット（または周波数シフト）を指示するラスタオフセット、および／またはＤＬ−ｔｏ−ＵＬ周波数オフセット（または周波数シフト）が適用される必要があるかどうかを指示するシステム情報メッセージを、ネットワークノード１６から受信するように設定される検索ユニット３４を含んでよい。検索ユニット３４は、ＷＤ２２がＮＲキャリアにおけるＮＢ−ＩｏＴキャリア上で動作しているように設定される時、ネットワークノード１６から周波数オフセットの指示を受信するように設定可能である。
【００５５】
いくつかの実施形態では、ネットワークノード１６、ＷＤ２２、およびホストコンピュータ２４の内部構造は図４に示されるようなものであってよく、独立的に、周囲のネットワークトポロジは図３のものであってよい。
【００５６】
図４において、ＯＴＴ接続５２は、いずれの中間デバイスにも、これらのデバイスを介したメッセージの正確なルーティングにも明示的に言及することなく、ネットワークノード１６を介したホストコンピュータ２４と無線デバイス２２との間の通信を示すために抽象的に描かれている。ネットワークインフラストラクチャは、ＷＤ２２から、または、ホストコンピュータ２４を動作させるサービスプロバイダから、またはこの両方から隠すように設定されてよいルーティングを判断し得る。ＯＴＴ接続５２がアクティブである間、ネットワークインフラストラクチャは、（例えば、ロードバランシングの考慮、またはネットワークの再設定に基づいて）ルーティングを動的に変更する決定をさらに行ってよい。
【００５７】
ＷＤ２２とネットワークノード１６との間の無線接続６４は、本開示全体を通して説明される実施形態の教示に従うものである。さまざまな実施形態の１つまたは複数によって、無線接続６４が最終セグメントを形成し得るＯＴＴ接続５２を使用してＷＤ２２に提供されるＯＴＴサービスの性能が改善される。より正確には、これらの実施形態のうちのいくつかの教示は、データ速度、レイテンシ、および／または電力消費を改善可能であり、それによって、ユーザ待機時間の低減、ファイルサイズに対する制約の緩和、より良い応答性、バッテリ寿命の延長などの利益を提供することができる。
【００５８】
いくつかの実施形態では、測定手順は、１つまたは複数の実施形態が改善させるデータ速度、レイテンシ、および他の因子を監視する目的で提供されてよい。測定結果の変化に応答して、ホストコンピュータ２４とＷＤ２２との間のＯＴＴ接続５２を再設定するためのオプションのネットワーク機能性がさらにあってよい。測定手順および／またはＯＴＴ接続５２を再設定するためのネットワーク機能性は、ホストコンピュータ２４のソフトウェア４８、ＷＤ２２のソフトウェア９０、またはこの両方において実装されてよい。実施形態において、センサ（図示せず）は、ＯＴＴ接続５２が通る通信デバイスにまたはこれと関連して配備されてよく、センサは、上に例示される監視量の値を供給することによって、または、ソフトウェア４８、９０が監視量を計算するまたは概算することができる他の物理量の値を供給することによって、測定手順に関与することができる。ＯＴＴ接続５２の再設定は、メッセージフォーマット、再送信設定、好ましいルーティングなどを含んでよく、再設定は、ネットワークノード１６に影響を与える必要はなく、再設定はネットワークノード１６に知られていなくても感知できなくてもよい。いくつかのこのような手順および機能性は、当技術分野において既知でありかつ実践されてよい。ある特定の実施形態において、測定は、スループット、伝搬時間、およびレイテンシなどのホストコンピュータ２４の測定を容易にする専有のＷＤシグナリングを伴ってよい。いくつかの実施形態では、測定は、ソフトウェア４８、９０が、伝搬時間、エラーなどを監視しながら、ＯＴＴ接続５２を使用して、とりわけ空のまたは「ダミー」メッセージで、メッセージを送信させるように実施されてよい。
【００５９】
よって、いくつかの実施形態では、ホストコンピュータ２４は、ユーザデータを提供するように設定される処理回路網４２と、ＷＤ２２への送信のためにユーザデータをセルラーネットワークに転送するように設定される通信インターフェース４０と、を含む。いくつかの実施形態では、セルラーネットワークは、無線インターフェース６２と共にネットワークノード１６も含む。いくつかの実施形態では、ネットワークノード１６、および／またはネットワークノード１６の処理回路網６８は、ＷＤ２２に対する送信を準備する／開始する／維持する／サポートする／終了するための、および／またはＷＤ２２からの送信を受けて準備する／終止する／維持する／サポートする／終了するための、本明細書に説明される機能および／または方法を行うように設定される。
【００６０】
いくつかの実施形態では、ホストコンピュータ２４は、処理回路網４２と、ＷＤ２２からネットワークノード１６への送信から生じるユーザデータを受信するように設定される通信インターフェース４０と、を含む。いくつかの実施形態では、ＷＤ２２は、ネットワークノード１６に対する送信を準備する／開始する／維持する／サポートする／終了するための、および／またはネットワークノード１６からの送信を受けて準備する／終止する／維持する／サポートする／終了するための、本明細書に説明される機能および／または方法を行うように設定される、および／または行うように設定される無線インターフェース８２および／または処理回路網８４を備える。
【００６１】
図１および図２は、信号ユニット３２などのさまざまな「ユニット」および検索ユニット３４が対応するプロセッサ内にあるように示しているが、これらのユニットは、ユニットの一部が処理回路網内の対応するメモリに記憶されるように実装される場合があることが考えられる。換言すれば、ユニットは、ハードウェア、またはハードウェアと処理回路網内のソフトウェアとの組み合わせで実装されてよい。
【００６２】
図７は、本明細書に説明される機能を実行するようにプロセッサによって実行可能なソフトウェアを含有するソフトウェアモジュールによって少なくとも部分的に実装されてよい、代替的なホストコンピュータ２４のブロック図である。ホストコンピュータ２４は、通信システム１０の異なる通信デバイスのインターフェースとの有線または無線接続をセットアップしかつ維持するように設定される通信インターフェースモジュール４１を含む。メモリモジュール４７は、本明細書に説明される、データ、プログラムソフトウェアコード、および／または他の情報を記憶するように設定される。通信モジュール５５は、サービスプロバイダが、本明細書に説明される方法および技法のいずれかを行うためにネットワークノード１６および／または無線デバイス２２に対する、観測／監視／制御／送信／受信を行うことを可能にするように設定される。
【００６３】
図５は、本明細書に説明される機能を実行するようにプロセッサによって実行可能なソフトウェアを含有するソフトウェアモジュールによって少なくとも部分的に実装されてよい、代替的なネットワークノード１６のブロック図である。ネットワークノード１６は、少なくとも、ネットワークノード１６によってサーブされるカバレッジエリア１８に位置するＷＤ２２との無線接続６４をセットアップしかつ維持するように設定される無線インターフェースモジュール６３を含む。ネットワークノード１６はまた、通信システム１０の異なる通信デバイスのインターフェースとの有線または無線接続をセットアップしかつ維持するように設定される通信インターフェースモジュール６１を含む。通信インターフェースモジュール６１はまた、ホストコンピュータ２４への接続６６を容易にするように設定されてもよい。メモリモジュール７３は、本明細書に説明される、データ、プログラムソフトウェアコード、および／または他の情報を記憶するように設定される。信号モジュール３３は、適用されるＤＬ−ｔｏ−ＵＬ周波数オフセット（または周波数シフト）を指示するラスタオフセット、および／またはＤＬ−ｔｏ−ＵＬ周波数オフセット（または周波数シフト）が適用される必要があるかどうかを指示するシステム情報メッセージを、ＷＤ２２にシグナリングするように設定される。信号モジュール３３は、ＷＤ２２に周波数シフトの指示を送るようにさらに設定されてよい。
【００６４】
図６は、本明細書に説明される機能を実行するようにプロセッサによって実行可能なソフトウェアを含有するソフトウェアモジュールによって少なくとも部分的に実装されてよい、代替的な無線デバイス２２のブロック図である。ＷＤ２２は、ＷＤ２２が現在位置しているカバレッジエリア１８をサーブするネットワークノード１６との無線接続６４をセットアップしかつ維持するように設定される無線インターフェースモジュール８３を含む。メモリモジュール８９は、本明細書に説明される、データ、プログラムソフトウェアコード、および／または他の情報を記憶するように設定される。検索モジュール３５は、適用されるＤＬ−ｔｏ−ＵＬ周波数オフセット（または周波数シフト）を指示するラスタオフセット、および／またはＤＬ−ｔｏ−ＵＬ周波数オフセット（または周波数シフト）が適用される必要があるかどうかを指示するシステム情報メッセージを、ネットワークノードから受信するように設定される。検索モジュール３５は、ＷＤ２２がＮＲキャリアにおけるＮＢ−ＩｏＴキャリア上で動作しているように設定される時、ネットワークノード１６から周波数オフセットの指示を受信するように設定されてよい。
【００６５】
図８は、１つの実施形態による、例えば、図３および図４の通信システムなどの通信システムにおいて実施される例示の方法を示すフローチャートである。通信システムは、図４を参照して説明されるものであってよい、ホストコンピュータ２４、ネットワークノード１６、およびＷＤ２２を含んでよい。方法の第１のステップでは、ホストコンピュータ２４はユーザデータを提供する（ブロックＳ１００）。第１のステップのオプションのサブステップでは、ホストコンピュータ２４は、例えば、ホストアプリケーション７４などのホストアプリケーションを実行することによってユーザデータを提供する（ブロックＳ１０２）。第２のステップでは、ホストコンピュータ２４は、ユーザデータをＷＤ２２に搬送する送信を開始する（ブロックＳ１０４）。オプションの第３のステップでは、ネットワークノード１６は、本開示全体を通して説明される実施形態の教示に従って、ホストコンピュータ２４が開始した送信で搬送されたユーザデータをＷＤ２２に送信する（ブロックＳ１０６）。オプションの第４のステップでは、ＷＤ２２は、例えば、ホストコンピュータ２４によって実行されるホストアプリケーション７４と関連付けられたクライアントアプリケーション１１４などのクライアントアプリケーションを実行する（ブロックＳ１０８）。
【００６６】
図９は、１つの実施形態による、例えば、図２の通信システムなどの通信システムにおいて実施される例示の方法を示すフローチャートである。通信システムは、図３および図４を参照して説明されるものであってよい、ホストコンピュータ２４、ネットワークノード１６、およびＷＤ２２を含んでよい。方法の第１のステップでは、ホストコンピュータ２４はユーザデータを提供する（ブロックＳ１１０）。オプションのサブステップ（図示せず）では、ホストコンピュータ２４は、例えば、ホストアプリケーション７４などのホストアプリケーションを実行することによってユーザデータを提供する。第２のステップでは、ホストコンピュータ２４は、ユーザデータをＷＤ２２に搬送する送信を開始する（ブロックＳ１１２）。本開示全体を通して説明される実施形態の教示に従って、送信はネットワークノード１６を介して通ってよい。オプションの第３のステップでは、ＷＤ２２は、送信時に搬送されたユーザデータを受信する（ブロックＳ１１４）。
【００６７】
図１０は、１つの実施形態による、例えば、図３の通信システムなどの通信システムにおいて実施される例示の方法を示すフローチャートである。通信システムは、図３および図４を参照して説明されるものであってよい、ホストコンピュータ２４、ネットワークノード１６、およびＷＤ２２を含んでよい。方法のオプションの第１のステップでは、ＷＤ２２はホストコンピュータ２４によって提供された入力データを受信する（ブロックＳ１１６）。第１のステップのオプションのサブステップでは、ＷＤ２２は、ホストコンピュータ２４によって提供される受信した入力データを受けてユーザデータを提供するクライアントアプリケーション１１４を実行する（ブロックＳ１１８）。さらにまたは代替的に、オプションの第２のステップでは、ＷＤ２２はユーザデータを提供する（ブロックＳ１２０）。第２のステップのオプションのサブステップでは、ＷＤは、例えば、クライアントアプリケーション１１４などのクライアントアプリケーションを実行することによってユーザデータを提供する（ブロックＳ１２２）。ユーザデータを提供する際に、実行したクライアントアプリケーション１１４は、ユーザから受信したユーザ入力をさらに考慮してよい。ユーザデータが提供された特定のやり方にかかわらず、ＷＤ２２は、オプションの第３のサブステップでは、ホストコンピュータ２４へのユーザデータの送信を開始してよい（ブロックＳ１２４）。方法の第４のステップでは、ホストコンピュータ２４は、本開示全体を通して説明される実施形態の教示に従って、ＷＤ２２から送信されたユーザデータを受信する（ブロックＳ１２６）。
【００６８】
図１１は、１つの実施形態による、例えば、図３の通信システムなどの通信システムにおいて実施される例示の方法を示すフローチャートである。通信システムは、図３および図４を参照して説明されるものであってよい、ホストコンピュータ２４、ネットワークノード１６、およびＷＤ２２を含んでよい。方法のオプションの第１のステップでは、本開示全体を通して説明される実施形態の教示に従って、ネットワークノード１６は、ＷＤ２２からユーザデータを受信する（ブロックＳ１２８）。オプションの第２のステップでは、ネットワークノード１６はホストコンピュータ２４への受信したユーザデータの送信を開始する（ブロックＳ１３０）。第３のステップでは、ホストコンピュータ２４はネットワークノード１６によって開始された送信で搬送されるユーザデータを受信する（ブロックＳ１３２）。
【００６９】
図１２は、ネットワークノード１６における例示のプロセス３００のフローチャートである。このプロセスでは、ステップ３１０において、ネットワークノード１６は、新無線（ＮＲ）キャリアにおける狭帯域ＩｏＴ（ＮＢ−ＩｏＴ）キャリアを設定する。ステップ３２０では、ネットワークノードは、無線デバイスによって適用される周波数オフセットの指示を送信する。
【００７０】
いくつかの実施形態では、指示は絶対キャリア周波数を含む。例えば、絶対キャリア周波数は、Ｅ−ＵＴＲＡ絶対無線周波数チャネル番号（ＥＡＲＦＣＮ）、ＮＲ絶対無線周波数チャネル番号（ＮＲ−ＡＲＦＣＮ）、またはグローバル同期チャネル番号（ＧＳＣＮ）のうちの１つを含んでよい。
【００７１】
いくつかの実施形態では、ネットワークノードは、無線デバイスを第１の設定から第２の設定に再設定してよい。このような場合、ネットワークノードは周波数シフトの更新をシグナリングしてよい。
【００７２】
いくつかの実施形態では、周波数オフセットは、ダウンリンクからアップリンクまでの（ＤＬ−ＵＬ）周波数オフセットである。例えば、周波数オフセットは７．５ｋＨｚ、−７．５ｋＨｚ、または０ｋＨｚのうちの１つとすることができる。
【００７３】
いくつかの実施形態では、ネットワークノードは、スタンドアロン動作モードまたはガードバンド動作モードのうちの１つにおいてＮＢ−ＩｏＴキャリアを設定してよい。
【００７４】
いくつかの実施形態では、指示は、システム情報または狭帯域マスタ情報ブロック（ＭＩＢ−ＮＢ）のうちの１つにおいて送信される。
【００７５】
図１３は、本開示のいくつかの実施形態による、無線デバイス２２における例示のプロセス４００のフローチャートである。方法４００は以下を含む。
【００７６】
ステップ４１０において、周波数オフセット（またはシフト）の指示をネットワークノードから受信する。
【００７７】
ステップ４２０において、受信した周波数オフセットを適用し、ここで、ＷＤは、新無線（ＮＲ）キャリアにおける狭帯域ＩｏＴ（ＮＢ−ＩｏＴ）キャリア上で動作するように設定される。
【００７８】
いくつかの実施形態では、指示は絶対キャリア周波数を含んでよい。例えば、絶対キャリア周波数は、Ｅ−ＵＴＲＡ絶対無線周波数チャネル番号（ＥＡＲＦＣＮ）、ＮＲ絶対無線周波数チャネル番号（ＮＲ−ＡＲＦＣＮ）、またはグローバル同期チャネル番号（ＧＳＣＮ）のうちの１つを含んでよい。
【００７９】
いくつかの実施形態では、方法４００では、さらに無線デバイスを第１の設定から第２の設定に再設定するための信号を受信してよい。その場合、方法ではさらに、周波数シフトの更新の信号を受信してよい。
【００８０】
いくつかの実施形態では、周波数オフセットはダウンリンクからアップリンクまでの（ＤＬ−ＵＬ）周波数オフセットであってよい。例えば、周波数オフセットは、７．５ｋＨｚ、−７．５ｋＨｚ、および０ｋＨｚのうちの１つであってよい。
【００８１】
いくつかの実施形態では、指示は、システム情報または狭帯域マスタ情報ブロック（ＭＩＢ−ＮＢ）のうちの１つにおいて受信される。
【００８２】
本開示のいくつかの実施形態について説明してきたが、実施形態のいくつかのより詳細な説明を以下に挙げる。
【００８３】
本開示の第１の実施形態によると、ＮＢ−ＩｏＴ  ＴＤＤデバイスは、ＭＩＢ−ＮＢにおいて提供されるラスタオフセット情報からＤＬ−ｔｏ−ＵＬ周波数シフトを判断することができる。図２では、ＵＬ  ＰＲＢの中心は、ＰＲＢがＤＣサブキャリアの上にある、すなわち、ＰＲＢにおけるサブキャリア周波数がＤＣサブキャリアのものより高い時、ＤＬ  ＰＲＢの中心より７．５ｋＨｚ低いことが観測される。他方では、ＵＬ  ＰＲＢの中心は、ＰＲＢがＤＣサブキャリアの下にある、すなわち、ＰＲＢにおけるサブキャリア周波数がＤＣサブキャリアのものより低い時、ＤＬ  ＰＲＢの中心より７．５ｋＨｚ高い。よって、ＤＬ−ｔｏ−ＵＬ周波数シフトが７．５ｋＨｚであるか−７．５ｋＨｚであるかどうかは、ＮＢ−ＩｏＴ  ＰＲＢがＤＣサブキャリアの下にあるかまたは上にあるかどうかに左右される。
【００８４】
１０または２０ＭＨｚのＬＴＥキャリア帯域幅について、ラスタオフセットは、ＮＢ−ＩｏＴアンカーがＤＣサブキャリアの上にある場合は−２．５ｋＨｚであり、ＮＢ−ＩｏＴアンカーがＤＣサブキャリアの下にある場合は２．５ｋＨｚである。３、５、および１５ＭＨｚのＬＴＥキャリア帯域幅について、ラスタオフセットは、ＮＢ−ＩｏＴアンカーがＤＣサブキャリアの上にある場合は７．５ｋＨｚであり、ＮＢ−ＩｏＴアンカーがＤＣサブキャリアの下にある場合は−７．５ｋＨｚである。よって、デバイスがＭＩＢ−ＮＢから、ラスタオフセットが２．５ｋＨｚまたは−７．５ｋＨｚであることを学習する場合、ＮＢ−ＩｏＴ  ＰＲＢがＤＣサブキャリアの下にあることを推論できる。そしてこの場合、アップリンク送信のためのＰＲＢの中心を得るために７．５ｋＨｚ上にＤＬ  ＰＲＢの中心をシフトするべきである。または、デバイスがＭＩＢ−ＮＢから、ラスタオフセットが−２．５ｋＨｚまたは７．５ｋＨｚであることを学習する場合、ＮＢ−ＩｏＴ  ＰＲＢがＤＣサブキャリアの上にあることを推論できる。そしてこの場合、アップリンク送信のためのＰＲＢの中心を得るために７．５ｋＨｚ下にＤＬ  ＰＲＢの中心をシフトするべきである。
【００８５】
ＮＢ−ＩｏＴにおいて、無線リソース制御アイドルモード（ＲＲＣ）＿ｉｄｌｅモードにおいて非アンカーキャリア上で狭帯域物理ランダムアクセスチャネル（ＮＰＲＡＣＨ）を送ることをサポートすること、または、ＲＲＣ＿ｃｏｎｎｅｃｔｅｄモードでロードバランシングのためにＵＥを非アンカーキャリアにリダイレクトすることも合意されている。ＵＬ非アンカーの位置は、アンカーキャリアと同じ問題を体感する。しかしながら、ＤＣキャリアとの非アンカーキャリアの関係（より上であるまたはより下であるかどうか）は、ＭＩＢ−ＮＢから導出できない。従って、非アンカーキャリアの位置がＤＣキャリアの上または下であるかどうかをシグナリングする、または非アンカーキャリアが、７．５ｋＨｚまたは−７．５ｋＨｚシフトが適用されるかどうかを明示的にシグナリングすることが提案される。また、帯域内の場合について非アンカーキャリアのＰＲＢインデックスをシグナリングすることが可能であり、さらにまた、この場合、ＵＥはＰＲＢインデックスに従って７．５ｋＨｚまたは−７．５ｋＨｚのシフトを導出できる。
【００８６】
第２の実施形態では、ＮＲキャリアにおいて配備されるＮＢ−ＩｏＴ  ＴＤＤをサポートするための方法が提供される。この場合、ＮＢ−ＩｏＴキャリアは、ＮＲがＤＣサブキャリアを有さないため、ＤＬ−ｔｏ−ＵＬ周波数シフトが０ｋＨｚであるとして、スタンドアロンモードおよびガードバンドモードのうちの１つで動作するように設定される。この実施形態によると、ＭＩＢ−ＮＢ（または、任意の他のシステム情報メッセージ）はさらに、オプションとして、ＮＢ−ＩｏＴキャリアがＮＲキャリア内で動作している時に設定される周波数ラスタオフセットを含む。リリース１３のＮＢ−ＩｏＴ  ＦＤＤにおいて、ラスタオフセットが帯域内動作モードおよびガードバンド動作モードのみに対して提供されることは留意されたい。
【００８７】
第３の実施形態では、ＭＩＢ−ＮＢを介したデバイスは、ＮＢ−ＩｏＴ  ＴＤＤキャリアに対する動作モードがスタンドアロンであることを学習する。ＭＩＢ−ＮＢまたは任意の他のシステム情報メッセージは、非ゼロラスタオフセットがあることをＵＥにシグナリングする。このシグナリングによって、ＵＥは、ＮＢ−ＩｏＴ  ＴＤＤキャリアがＮＲキャリア内に配備されることを推論可能であるため、いずれのＤＬ−ｔｏ−ＵＬ周波数オフセットも適用しないものとする、すなわち、ＤＬおよびＵＬに対するＰＲＢの中心は同一である。
【００８８】
第４の実施形態では、ＮＲキャリアにおいて配備されるＮＢ−ＩｏＴ  ＴＤＤをサポートするための方法が提供される。この場合、ＮＢ−ＩｏＴキャリアはガードバンド動作モードとして設定される。ここで、リリース１５のＬＴＥガードバンドモードは±７．５ｋＨｚのＤＬ−ｔｏ−ＵＬシフトで指定されること、および、ラスタオフセット情報はＭＩＢ−ＮＢにおいて提供されることが想定される。しかしながら、この場合、デバイスは、実施形態２において説明されるようにいずれのＤＬ−ｔｏ−ＵＬシフトも適用しないものとする。この不明確さを解消するために、ＤＬ−ｔｏ−ＵＬ周波数シフトが適用される必要がある（±７．５ｋＨｚ）か否か（すなわち、０Ｈｚ）をデバイスに通知するために、ＳＩＢ２において、または任意の他のシステム情報ブロック（またはタイプ）において特別なフラグが導入される。このフラグによって、ＵＥは、ＮＢ−ＩｏＴ  ＴＤＤキャリアがＬＴＥキャリアまたはＮＲキャリア内に配備されるかどうかを知ることができる。「ガードバンド動作モード」という用語が、ＮＢ−ＩｏＴの既存の定義によるものであるため、これが、ＵＥがＭＩＢ−ＮＢにおいてシグナリングされるラスタオフセットを見ることになること、およびＵＥがＬＴＥ物理信号およびチャネルによって占有されるリソースエレメントがないことを予想できることを含意することは留意されたい。これは、ＮＲキャリアのガードバンドを使用するＮＲキャリア内に配備されるＮＢ−ＩｏＴと混同されるべきではない。ほとんどの場合、ＮＢ−ＩｏＴは、ＮＲ  ＰＲＢのうちの１つを使用するＮＲキャリア内に配備されることになる。そのため、これは、「ＮＲ帯域内」の配備である。しかしながら、配備される「ＮＲ帯域内」は３ＧＰＰにおいて規定されず、ＵＥはそのことを理解していない。しかしながら、ＵＥは、ＮＲキャリアとの関係を知る必要はない。知る必要があるのは、ラスタオフセットがあるかどうか、いくつかの予約されたリソースがあるかどうか、および、先の実施形態によるＤＬ−ｔｏ−ＵＬ周波数シフトのみである。
【００８９】
第５の実施形態では、システム情報においてＮＢ−ＩｏＴ  ＵＥのＵＬによって使用される絶対キャリア周波数を明示的にシグナリングするための方法が提供される。これは、アンカーキャリアおよび非アンカーキャリアの両方に該当する。絶対キャリア周波数は、例えば、ＬＴＥにおけるＥ−ＵＴＲＡ絶対無線周波数チャネル番号（ＥＡＲＦＣＮ）、またはＮＲにおける同様のパラメータ、例えば、ＮＲ絶対無線周波数チャネル番号（ＮＲ−ＡＲＦＣＮ）またはグローバル同期チャネル番号（ＧＳＣＮ）から導出可能である。
【００９０】
第６の実施形態では、ＤＬ−ｔｏ−ＵＬ周波数シフトはＵＥに明示的にシグナリングされ、かつ、ＤＬ−ｔｏ−ＵＬ周波数シフトは−７．５ｋＨｚ、０Ｈｚ、または７．５ｋＨｚのいずれかであることが提案される。
【００９１】
第７の実施形態では、ネットワーク（例えば、ネットワークノード）は、以下のような情報の１つまたは複数を更新するためのシグナリングを提供することによって、ＮＢ−ＩｏＴ  ＴＤＤを第１の設定から第２の設定に再設定する。
・ＮＢ−ＩｏＴ動作モード（スタンドアロン、帯域内、またはガードバンド）
・ＤＬ−ｔｏ−ＵＬ周波数シフト
・ラスタオフセット
・アップリンクＥＡＲＦＣＮ
【００９２】
例えば、第１の設定は、ＤＣサブキャリアの上のＰＲＢを使用するＬＴＥキャリア内の帯域内モードとしてＮＢ−ＩｏＴ  ＴＤＤを動作させるためのものであってよく、第２の設定は、ＮＲキャリア内のガードバンドモードとしてＮＢ−ＩｏＴ  ＴＤＤを動作させるためのものであってよい。
【００９３】
いくつかの実施形態では、無線ノード、とりわけ、端末、ユーザ機器、またはＷＤ２２を設定することは、無線ノードが設定に従って、動作するように適応される、動作させられる、動作するように設定される、および／または動作するように命令されることを指す場合がある。設定することは、別のデバイス、例えば、ネットワークノード１６（例えば、基地局またはｅＮｏｄｅＢのようなネットワークの無線ノード）またはネットワークによって行われてよく、この場合、設定データを設定される無線ノードに送信することを含んでよい。このような設定データは、設定される設定を表してよい、および／または、設定、例えば、割り当てられたリソース、とりわけ周波数リソース上で送信するおよび／または受信するための設定、または例えば、ある特定のサブフレームまたは無線リソースに対するある特定の測定を行うための設定に関する１つまたは複数の命令を含んでよい。無線ノードは、それ自体を、例えば、ネットワークまたはネットワークノード１６から受信される設定データに基づいて設定してよい。ネットワークノード１６は、設定するためのこの回路網（単数または複数）を、使用してよい、および／または使用するように適応されてよい。割り当て情報は設定データの形態とみなされてよい。設定データは、設定情報、ならびに／または、１つまたは複数の対応する指示および／もしくはメッセージを含んでよい、および／またはこれらによって表されてよい。
【００９４】
一般的に、いくつかの実施形態では、設定することは、設定を表す設定データを判断することと、このデータを、１つまたは複数の他のノードに（並列におよび／または連続的に）提供すること、例えば送信することとを含むことができ、この他のノードはこのデータをさらに無線ノードに送信する（または別のノードに送信する、これは、データが無線デバイス２２に達するまで繰り返される場合がある）。に送信することができる。代替的にはまたはさらに、例えば、ネットワークノード１６または他のデバイスによって無線ノードを設定することは、例えば、ネットワークのより高いレベルのノードであってよいネットワークノード１６のような別のノードから、設定データおよび／または設定データに関するデータを受信すること、および／または受信した設定データを無線ノードに送信することを含んでよい。それ故に、設定を判断すること、および設定データを無線ノードに送信することは、適したインターフェース、例えば、ＬＴＥの場合のＸ２インターフェース、またはＮＲには対応するインターフェースを介して通信可能であってよい種々のネットワークノードまたはエンティティによって行われてよい。端末（例えば、ＷＤ２２）を設定することは、端末のためのダウンリンク送信および／またはアップリンク送信、例えば、ダウンリンクデータ、ダウンリンク制御シグナリング、ダウンリンク制御情報（ＤＣＩ）、および／またはアップリンク制御、データ、もしくは通信シグナリング、とりわけ、肯定応答シグナリングをスケジューリングすること、ならびに／あるいはリソースおよび／またはリソース用のリソースプールを設定することを含んでよい。とりわけ、端末（例えば、ＷＤ２２）を設定することは、ＷＤ２２が、ある特定のサブフレームまたは無線リソースに対してある特定の測定を行うように設定すること、および本開示の実施形態によるこのような測定を報告することを含んでよい。
【００９５】
いくつかの実施形態では、シグナリングは、一般的に、少なくとも１つの特定のまたは一般的な対象（例えば、シグナリングをピックアップし得る誰か）に情報を搬送することを目的としている電磁波構造を（例えば、ある時間間隔および周波数間隔で）表すとみなされ得る。シグナリングのプロセスはシグナリングを送信することを含んでよい。シグナリング、とりわけ、例えば、肯定応答シグナリングおよび／またはリソース要求情報を含むまたは表す制御シグナリングまたは通信シグナリングを送信することは、符号化および／または変調を含んでよい。符号化および／または変調は、誤り検出符号化、前方誤り訂正符号化、および／またはスクランブリングを含んでよい。制御シグナリングを受信することは、対応する復号および／または復調を含んでよい。誤り検出符号化は、パリティまたはチェックサムのアプローチ、例えばＣＲＣ（巡回冗長検査）を含んでよいおよび／またはこれらに基づいてよい。前方誤り訂正符号化は、例えば、ターボ符号化、リードマラー符号化、極性符号化、および／またはＬＤＰＣ符号化（低密度パリティ検査）を含んでよいおよび／またはこれらに基づいてよい。使用される符号化のタイプは、符号化される信号が関連付けられるチャネル（例えば、物理チャネル）に基づいてよい。コードレートは、符号化が誤り検出符号化および前方誤り訂正のための符号化ビットを追加することを考慮して、符号化後の符号化ビット数に対する符号化前の情報ビット数の比率を表し得る。符号化ビットは、情報ビット（システマティックビットとも呼ばれる）に符号化ビットを加えたものを指す場合がある。
【００９６】
いくつかの実施形態では、通信シグナリングは、データシグナリングおよび／またはユーザプレーンシグナリングを含んでよい、表してよい、および／またはこれらとして実装されてよい。通信シグナリングは、データチャネル、例えば、物理ダウンリンクチャネル、物理アップリンクチャネル、または物理サイドリンクチャネル、とりわけ、ＰＤＳＣＨ（物理ダウンリンク共有チャネル）またはＰＳＳＣＨ（物理サイドリンク共有チャネル）に関連付けられてよい。一般的に、データチャネルは、共有チャネルまたは専用チャネルであり得る。データシグナリングは、データチャネルに関連付けられるおよび／またはデータチャネル上のシグナリングであってよい。
【００９７】
いくつかの実施形態では、ある指示は、一般的に、その指示が表すおよび／または指示する情報を、明示的におよび／または暗黙的に指示してよい。暗黙的な指示は、例えば、送信のために使用される位置および／またはリソースに基づいてよい。明示的な指示は、例えば、１つもしくは複数のパラメータでのパラメータ化、１つもしくは複数のインデックス、および／または情報を表す１つもしくは複数のビットパターンに基づいてよい。とりわけ、利用されるリソースシーケンスに基づく、本明細書に説明されるような制御シグナリングは、制御シグナリングタイプを暗黙的に指示するものと考えられてよい。
【００９８】
当業者には理解されるであろうが、本明細書に説明される概念は、方法、データ処理システム、および／またはコンピュータプログラム製品として組み込まれてよい。それ故に、本明細書に説明される概念は、完全にハードウェアの実施形態、完全にソフトウェアの実施形態、または、全てが全般的に、本明細書において「回路」または「モジュール」を指すソフトウェアの態様とハードウェアの態様とを組み合わせた実施形態の形を取ることができる。さらに、本開示は、コンピュータによって実行可能である媒体において組み込まれるコンピュータプログラムコードを有する有形のコンピュータ使用可能記憶媒体上のコンピュータプログラム製品の形を取ることができる。ハードディスク、ＣＤ−ＲＯＭ、電子記憶デバイス、光記憶デバイス、または磁気記憶デバイスを含む任意の適した有形のコンピュータ可読媒体が利用されてよい。
【００９９】
いくつかの実施形態は、方法、システム、およびコンピュータプログラム製品のフローチャート図および／またはブロック図を参照して本明細書に説明されている。フローチャート図および／またはブロック図のそれぞれのブロック、ならびにフローチャート図および／またはブロック図のブロックの組み合わせは、コンピュータプログラム命令によって実装可能であることは理解されるであろう。これらのコンピュータプログラム命令を、（結果的に、専用コンピュータを作成するための）汎用コンピュータ、専用コンピュータ、または他のプログラマブルデータ処理装置のプロセッサに与えて、マシンを製造することで、コンピュータまたは他のプログラマブルデータ処理装置のプロセッサによって実行する命令が、フローチャートおよび／またはブロック図の１つまたは複数のブロックにおいて指定された機能／作用を実施するための手段を作成するようにしてよい。
【０１００】
これらのコンピュータプログラム命令を、コンピュータまたは他のプログラマブルデータ処理装置に特定のやり方で機能するように指図することができるコンピュータ可読メモリまたは記憶媒体に記憶することで、そのコンピュータ可読メモリに記憶された命令が、フローチャートおよび／またはブロック図の１つまたは複数のブロックにおいて指定された機能／作用を実施する命令手段を含む製品を製造するようにしてもよい。
【０１０１】
コンピュータプログラム命令を、コンピュータまたは他のプログラマブルデータ処理装置にロードして、コンピュータ実施プロセスを生じさせるための一連の動作ステップをコンピュータまたは他のプログラマブル装置上で実行させ、それによって、コンピュータまたは他のプログラマブル装置上で実行する命令が、フローチャートおよび／またはブロック図の１つまたは複数のブロックにおいて指定された機能／作用を実施するためのステップを提供するようにしてもよい。
【０１０２】
ブロックに記される機能／作用が、動作図に記される順序以外で生じる場合があることは、理解されたい。例えば、連続して示される２つのブロックは、実際には、実質的に同時に実行可能である、または、該ブロックは、関係する機能性／作用に応じて、逆の順序で実行される時があってよい。図のいくつかは、通信の主要な方向を示すために通信経路上に矢印を含むが、図示された矢印と反対の方向に通信が生じる場合があることは理解されたい。
【０１０３】
本明細書に説明される概念の動作を実行するためのコンピュータプログラムコードは、Ｊａｖａ（登録商標）またはＣ＋＋などのオブジェクト指向プログラミング言語で書き込まれてよい。しかしながら、本開示の動作を実行するためのコンピュータプログラムコードは、「Ｃ」プログラミング言語などの従来の手続き型プログラミング言語で書き込まれてもよい。プログラムコードは、全体がユーザのコンピュータ上で実行される場合があり、独立したソフトウェアパッケージとして、一部がユーザのコンピュータ上で実行される場合があり、一部がユーザのコンピュータ上で実行され、一部がリモートコンピュータ上で実行される場合があり、または全体がリモートコンピュータ上で実行される場合がある。後者のシナリオの場合、リモートコンピュータは、ローカルエリアネットワーク（ＬＡＮ）またはワイドエリアネットワーク（ＷＡＮ）を通してユーザのコンピュータに接続されてよい、または（例えば、インターネットサービスプロバイダを使用したインターネットを通して）外部のコンピュータへの接続がなされてよい。
【０１０４】
上記の説明および図面に関連して、多くの種々の実施形態が本明細書に開示されている。これらの実施形態の組み合わせおよび部分的組み合わせの全てをそのまま説明および例示することは、繰り返しが多すぎて不明瞭になるであろうことは理解されるであろう。それ故に、全ての実施形態は任意のやり方および／または組み合わせで組み合わせ可能であり、図面を含む本明細書は、本明細書に説明される実施形態の全ての組み合わせおよび部分的組み合わせ、ならびにそれらを作製しかつ使用するやり方およびプロセスの完全に記述された説明を構成すると解釈されるものとし、かつ任意のかかる組み合わせまたは部分的組み合わせに対する特許請求項をサポートするものとする。
【０１０５】
本明細書に説明される実施形態が、とりわけ、本明細書において上記に示されかつ説明されているものに限定されないことは、当業者には理解されるであろう。さらに、上記に矛盾する言及がない限り、添付の図面の全てが一定尺度ではないことは留意されるべきである。上記の教示を考慮してさまざまな修正および変形が可能である。
【図１】
2021520684.tif 000003
【図２】
2021520684.tif 000004
【図３】
2021520684.tif 000005
【図４】
2021520684.tif 000006
【図５】
2021520684.tif 000007
【図６】
2021520684.tif 000008
【図７】
2021520684.tif 000009
【図８】
2021520684.tif 000010
【図９】
2021520684.tif 000011
【図１０】
2021520684.tif 000012
【図１１】
2021520684.tif 000013
【図１２】
2021520684.tif 000014
【図１３】
2021520684.tif 000015
【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
時分割複信（ＴＤＤ）で動作する無線デバイス（ＷＤ）と通信するように設定されるネットワークノードであって、無線インターフェースと、メモリおよび該メモリに接続されるプロセッサを有する処理回路網と、を備え、前記プロセッサは、
新無線（ＮＲ）キャリアにおける狭帯域ＩｏＴ（ＮＢ−ＩｏＴ）キャリアを設定すること、および、前記無線デバイスによって適用されるダウンリンク（ＤＬ）からアップリンク（ＵＬ）までの周波数オフセットの第１の指示を送信することであって、前記指示は｛−７．５ｋＨｚ、０ｋＨｚ、および７．５ｋＨｚ｝から選択される値を含む、第１の指示を送信することを行うように設定されている、ネットワークノード。
【請求項２】
第２の指示を送信することであって、前記第２の指示は絶対キャリア周波数を含む、第２の指示を送信することをさらに含む、請求項１に記載のネットワークノード。
【請求項３】
前記絶対キャリア周波数は、Ｅ−ＵＴＲＡ絶対無線周波数チャネル番号（ＥＡＲＦＣＮ）、ＮＲ絶対無線周波数チャネル番号（ＮＲ−ＡＲＦＣＮ）、およびグローバル同期チャネル番号（ＧＳＣＮ）のうちの１つを含む、請求項２に記載のネットワークノード。
【請求項４】
前記プロセッサは、前記無線デバイスを第１の設定から第２の設定に再設定するように設定されている、請求項１から３のいずれか一項に記載のネットワークノード。
【請求項５】
前記プロセッサは前記ＤＬからＵＬまでの周波数オフセットの更新をシグナリングするように設定されている、請求項４に記載のネットワークノード。
【請求項６】
前記プロセッサは、スタンドアロン動作モードおよびガードバンド動作モードのうちの１つにおいて前記ＮＢ−ＩｏＴキャリアを設定するように設定されている、請求項１から５のいずれか一項に記載のネットワークノード。
【請求項７】
前記指示を送信することは、システム情報および狭帯域マスタ情報ブロック（ＭＩＢ−ＮＢ）のうちの１つにおいて前記指示を送信することを含む、請求項１から６のいずれか一項に記載のネットワークノード。
【請求項８】
時分割複信（ＴＤＤ）で動作する無線デバイス（ＷＤ）と通信するように設定されるネットワークノードにおける方法であって、
新無線（ＮＲ）キャリアにおける狭帯域ＩｏＴ（ＮＢ−ＩｏＴ）キャリアを設定することと、
前記無線デバイスによって適用されるダウンリンク（ＤＬ）からアップリンク（ＵＬ）までの周波数オフセットの第１の指示を送信することであって、前記第１の指示は｛−７．５  ｋＨｚ、０ｋＨｚ、および７．５ｋＨｚ｝から選択される値を含む、第１の指示を送信することと、を含む、方法。
【請求項９】
第２の指示を送信することであって、前記第２の指示は絶対キャリア周波数を含む、第２の指示を送信することをさらに含む、請求項８に記載の方法。
【請求項１０】
前記絶対キャリア周波数は、Ｅ−ＵＴＲＡ絶対無線周波数チャネル番号（ＥＡＲＦＣＮ）、ＮＲ絶対無線周波数チャネル番号（ＮＲ−ＡＲＦＣＮ）、およびグローバル同期チャネル番号（ＧＳＣＮ）のうちの１つを含む、請求項９に記載の方法。
【請求項１１】
前記無線デバイスを第１の設定から第２の設定に再設定することをさらに含む、請求項８から１０のいずれか一項に記載の方法。
【請求項１２】
前記ＤＬからＵＬまでの周波数オフセットの更新の信号を送ることをさらに含む、請求項１１に記載の方法。
【請求項１３】
前記ＮＢ−ＩｏＴキャリアを設定することは、スタンドアロン動作モードおよびガードバンド動作モードのうちの１つにおいて前記ＮＢ−ＩｏＴキャリアを設定することを含む、請求項８から１２のいずれか一項に記載の方法。
【請求項１４】
コンピュータ可読プログラムコードが具現化されている非一時的なコンピュータ可読記憶媒体を含む、コンピュータプログラム製品であって、前記コンピュータ可読プログラムコードは、請求項８から１３のいずれか一項に記載の方法に従って動作させるためのコンピュータ可読プログラムコードを含む、コンピュータプログラム製品。
【請求項１５】
時分割複信（ＴＤＤ）で動作する無線デバイス（ＷＤ）において実施される方法であって、
ネットワークノードから、ダウンリンク（ＤＬ）からアップリンク（ＵＬ）までの周波数オフセットの第１の指示を受信することであって、前記第１の指示は｛−７．５ｋＨｚ、０ｋＨｚ、および−７．５ｋＨｚ｝から選択される値を含む、第１の指示を受信することと、
受信した前記ＤＬからＵＬまでの周波数オフセットを適用することと、を含み、
前記ＷＤは、新無線（ＮＲ）キャリアにおける狭帯域ＩｏＴ（ＮＢ−ＩｏＴ）キャリア上で動作するように設定される、方法。
【請求項１６】
第２の指示を受信することであって、前記第２の指示は絶対キャリア周波数を含む、第２の指示を受信することをさらに含む、請求項１５に記載の方法。
【請求項１７】
前記絶対キャリア周波数は、Ｅ−ＵＴＲＡ絶対無線周波数チャネル番号（ＥＡＲＦＣＮ）、ＮＲ絶対無線周波数チャネル番号（ＮＲ−ＡＲＦＣＮ）、およびグローバル同期チャネル番号（ＧＳＣＮ）のうちの１つを含む、請求項１６に記載の方法。
【請求項１８】
前記無線デバイスを第１の設定から第２の設定に再設定するための信号を受信することをさらに含む、請求項１５から１７のいずれか一項に記載の方法。
【請求項１９】
前記ＤＬからＵＬまでの周波数オフセットの更新の信号を受信することをさらに含む、請求項１８に記載の方法。
【請求項２０】
無線インターフェースと、メモリおよび該メモリに接続されるプロセッサを有する処理回路網と、を備える、時分割複信（ＴＤＤ）で動作する無線デバイス（ＷＤ）であって、前記プロセッサは、
ネットワークノードから、ダウンリンク（ＤＬ）からアップリンク（ＵＬ）までの周波数オフセットの第１の指示を受信することであって、前記第１の指示は｛−７．５ｋＨｚ、０ｋＨｚ、および７．５ｋＨｚ｝から選択される値を含む、第１の指示を受信すること、および、受信した前記ＤＬからＵＬまでの周波数オフセットを適用することを行うように設定され、
前記ＷＤは、新無線（ＮＲ）キャリアにおける狭帯域ＩｏＴ（ＮＢ−ＩｏＴ）キャリア上で動作するように設定されている、無線デバイス（ＷＤ）。
【請求項２１】
前記プロセッサは第２の指示を受信するように設定され、前記第２の指示は絶対キャリア周波数を含む、請求項２０に記載の無線デバイス。
【請求項２２】
前記絶対キャリア周波数は、Ｅ−ＵＴＲＡ絶対無線周波数チャネル番号（ＥＡＲＦＣＮ）、ＮＲ絶対無線周波数チャネル番号（ＮＲ−ＡＲＦＣＮ）、およびグローバル同期チャネル番号（ＧＳＣＮ）のうちの１つを含む、請求項２１に記載の無線デバイス。
【請求項２３】
前記プロセッサは、前記無線デバイスを第１の設定から第２の設定に再設定するための信号を受信するように設定されている、請求項２０から２２のいずれか一項に記載の無線デバイス。
【請求項２４】
前記プロセッサは前記ＤＬからＵＬまでの周波数オフセットの更新の信号を受信するように設定されている、請求項２３に記載の無線デバイス。
【請求項２５】
前記プロセッサは、システム情報、および前記指示を含有する狭帯域マスタ情報ブロック（ＭＩＢ−ＮＢ）のうちの１つを受信するように設定されている、請求項２０から２４のいずれか一項に記載の無線デバイス。
【請求項２６】
コンピュータ可読プログラムコードが具現化されている非一時的なコンピュータ可読記憶媒体を含む、コンピュータプログラム製品であって、前記コンピュータ可読プログラムコードは、請求項１５から１９のいずれか一項に記載の方法に従って動作させるためのコンピュータ可読プログラムコードを含む、コンピュータプログラム製品。
【手続補正２】
【補正対象書類名】図面
【補正対象項目名】図１
【補正方法】変更
【補正の内容】
【図１】
2021520684.tif 000016
【国際調査報告】
2021520684.tif 000017
2021520684.tif 000018